(57)【要約】【課題】スキャナやデジタルカメラ等の撮像手段で得られたダイナミックレンジの大きい画像データを、簡単に出力装置の性能に合わせた画像データに変換することができる画像処理システム、画像処理装置及び画像処理方法並びに画像処理プログラムの提供。【解決手段】画像記録装置では、フィルムをスキャンして得られたＲＡＷデータ又はデジタルカメラの撮像手段で得られたＲＡＷデータ等の撮像画像データを記録媒体に記録し、画像処理を実行する画像処理装置には、ＲＡＷデータの輝度分布を解析し、ＲＡＷデータが有する画像特性情報を取得する手段、出力手段の種類に応じて設定される画像変換情報を取得する手段、画像特性情報及び画像変換情報を用いてＲＡＷデータを変換する手段等を、ハードウェアとして又はコンピュータを上記手段として機能させる画像処理プログラムとして備える。【選択図】図３
2004242124.tif 000002
【特許請求の範囲】
【請求項１】
撮像手段により画像又は被写体を撮像して得られた撮像画像データを処理する画像処理装置であって、
少なくとも、前記撮像画像データを読み取る手段と、読み取られた前記撮像画像データの輝度分布を解析し、第１の画像変換情報を取得する手段と、出力手段の種類に応じて設定される第２の画像変換情報を取得する手段と、前記撮像画像データを前記第１の画像変換情報及び前記第２の画像変換情報を用いて出力用画像データに変換する画像データ変換手段と、を備えることを特徴とする画像処理装置。
【請求項２】
前記画像データ変換手段が、前記撮像画像データを予め設定された標準色空間画像データに変換した後、前記出力用画像データへ変換する手段を含むものであることを特徴とする請求項１記載の画像処理装置。
【請求項３】
撮像手段により画像又は被写体を撮像して得られた撮像画像データを処理する画像処理装置であって、
少なくとも、前記撮像画像データを読み取る手段と、読み取られた前記撮像画像データの輝度分布を解析し、第１の画像変換情報を取得する手段と、出力手段の種類に応じて設定される第２の画像変換情報を取得する手段と、前記第１の画像変換情報及び前記第２の画像変換情報に基づき、前記撮像画像データを出力手段で再生するための再生情報を作成する手段と、前記再生情報を記録する手段と、を備えることを特徴とする画像処理装置。
【請求項４】
前記第１の画像変換情報は、色再現域又は再現輝度域のいずれかを変換する情報であることを特徴とする請求項１乃至３のいずれか一に記載の画像処理装置。
【請求項５】
更に、前記撮像画像データに関連付けて記録された撮像形式を特定する撮像形式識別情報を取得する手段を備え、該撮像形式識別情報の参照により、前記撮像画像データを読み取って予め設定された標準化した画像データ形式にすることを特徴とする請求項１乃至４のいずれか一に記載の画像処理装置。
【請求項６】
前記撮像形式識別情報は、撮像輝度データの縦横の画素数、１画素あたりのデータ長、画素配列の情報、又は撮像輝度値と撮像画像データのデータ値との相関関係に関する情報のいずれかを含むことを特徴とする請求項５記載の画像処理装置。
【請求項７】
撮像手段により画像又は被写体を撮像して得られた撮像画像データを記録する画像記録装置と、請求項１乃至６のいずれか一に記載の画像処理装置と、を少なくとも備える画像処理システムであって、
前記画像記録装置は、前記撮像画像データを記録媒体に記録する手段、又は、前記撮像画像データを通信ネットワークを介して送信する手段、を、
前記画像処理装置は、前記記録媒体を読み取る手段、又は、通信ネットワークを介して前記撮像画像データを受信する手段、を備えていることを特徴とする画像処理システム。
【請求項８】
前記画像記録装置は、前記撮像画像データに関連付けて、撮像形式を特定する撮像形式識別情報を前記記録媒体に記録、又は、通信ネットワークを介して送信することを特徴とする請求項７記載の画像処理システム。
【請求項９】
撮像手段により画像又は被写体を撮像して得られた撮像画像データを取得する画像記録装置と、前記撮像画像データを処理する画像処理装置と、を少なくとも備えるシステムにおける画像処理方法であって、
前記画像記録装置は、前記撮像画像データを記録媒体に記録するステップ、又は、通信ネットワークを介して前記画像処理装置に送信するステップ、を有し、
前記画像処理装置は、前記撮像画像データを読み取るステップと、読み取られた前記撮像画像データの輝度分布を解析し、第１の画像変換情報を取得するステップと、出力手段の種類に応じて設定される第２の画像変換情報を取得するステップと、前記撮像画像データを前記第１の画像変換情報及び前記第２の画像変換情報を用いて出力用画像データに変換する画像データ変換ステップと、を少なくとも有することを特徴とする画像処理方法。
【請求項１０】
前記画像データ変換ステップが、前記撮像画像データを予め設定された標準色空間画像データに変換するステップ実行後、前記出力用画像データへの変換ステップを実行するものであることを特徴とする請求項９記載の画像処理方法。
【請求項１１】
撮像手段により画像又は被写体を撮像して得られた撮像画像データを取得する画像記録装置と、前記撮像画像データを処理する画像処理装置と、を少なくとも備えるシステムにおける画像処理方法であって、
前記画像記録装置は、前記撮像画像データを記録媒体に記録するステップ、又は、通信ネットワークを介して前記画像処理装置に送信するステップ、を有し、
前記画像処理装置は、前記撮像画像データを読み取るステップと、読み取られた前記撮像画像データの輝度分布を解析し、第１の画像変換情報を取得するステップと、出力手段の種類に応じて設定される第２の画像変換情報を取得するステップと、前記第１の画像変換情報及び前記第２の画像変換情報に基づき、前記撮像画像データを出力手段で再生するための再生情報を作成するステップと、前記再生情報を記録するステップと、を少なくとも有することを特徴とする画像処理方法。
【請求項１２】
前記第１の画像変換情報は、色再現域、再現輝度域のいずれかを変換する情報であることを特徴とする請求項９乃至１１のいずれか一に記載の画像処理方法。
【請求項１３】
前記記録装置は、前記撮像画像データに関連付けて、撮像形式を特定する撮像形式識別情報を前記記録媒体に記録又は通信ネットワークを介して送信するステップを有し、
前記画像処理装置は、前記撮像形式識別情報を取得するステップと、前記撮像形式識別情報の参照により、前記撮像画像データを読み取って予め設定された標準化した画像データ形式にするステップと、を有することを特徴とする請求項９乃至１２のいずれか一に記載の画像処理方法。
【請求項１４】
前記撮像形式識別情報は、撮像輝度データの縦横の画素数、１画素あたりのデータ長、画素配列の情報、又は撮像輝度値と撮像画像データのデータ値との相関関係に関する情報のいずれかを含むことを特徴とする請求項１３記載の画像処理方法。
【請求項１５】
コンピュータを、少なくとも、撮像手段により画像又は被写体を撮像して得られた撮像画像データを読み取る手段、読み取られた前記撮像画像データの輝度分布を解析し、第１の画像変換情報を取得する手段、出力手段の種類に応じて設定される第２の画像変換情報を取得する手段、前記撮像画像データを前記第１の画像変換情報及び前記第２の画像変換情報を用いて出力用画像データに変換する画像データ変換手段、として機能させることを特徴とする画像処理プログラム。
【請求項１６】
前記画像データ変換手段が、前記撮像画像データを予め設定された標準色空間画像データに変換した後、前記出力用画像データへ変換する手段を含むものであることを特徴とする請求項１５記載の画像処理プログラム。
【請求項１７】
コンピュータを、少なくとも、撮像手段により画像又は被写体を撮像して得られた撮像画像データを読み取る手段、読み取られた前記撮像画像データの輝度分布を解析し、第１の画像変換情報を取得する手段、出力手段の種類に応じて設定される第２の画像変換情報を取得する手段、前記第１の画像変換情報及び前記第２の画像変換情報に基づき、前記撮像画像データを出力手段で再生するための再生情報を作成する手段、前記再生情報を記録する手段、として機能させることを特徴とする画像処理プログラム。
【請求項１８】
前記第１の画像変換情報は、色再現域、再現輝度域のいずれかを変換する情報であることを特徴とする請求項１５乃至１７のいずれか一に記載の画像処理プログラム。
【請求項１９】
更に、前記撮像画像データに関連付けて記録された撮像形式を特定する撮像形式識別情報を取得する手段を備え、該撮像形式識別情報の参照により、前記撮像画像データを読み取って予め設定された標準化した画像データ形式に変換することを特徴とする請求項１５乃至１８のいずれか一に記載の画像処理プログラム。
【請求項２０】
前記撮像形式識別情報は、撮像輝度データの縦横の画素数、１画素あたりのデータ長、画素配列の情報、又は撮像輝度値と撮像画像データのデータ値との相関関係に関する情報のいずれかを含むことを特徴とする請求項１９記載の画像処理プログラム。
【発明の詳細な説明】
【０００１】
【発明の属する技術分野】
本発明は、画像処理システム、画像処理装置及び画像処理方法並びに画像処理プログラムに関し、特に、フィルムスキャナやデジタルカメラ等の画像記録装置を用いて得られた画像データをモニタやプリンタ等の出力手段に適した画像データに変換する画像処理システム、画像処理装置及び画像処理方法並びに画像処理プログラムに関する。
【０００２】
【従来の技術】
近年、デジタルカメラやカメラ付携帯電話機などの撮影機器の普及に伴い、写真画像をデジタルデータとして利用するユーザが増えている。このようなユーザは、デジタルカメラに装着される各種記録媒体をパソコンのスロットに挿入して画像データを読み込んだり、デジタルカメラをパソコンに接続して撮影した写真の画像データをパソコンに転送する等の方法により、パソコン内に画像データを蓄積し、パソコンに予めインストールされている画像表示アプリケーションを用いて画像データを表示、閲覧している。
【０００３】
また、フィルムカメラで撮影したフィルムや写真プリントをデジタルデータに変換するサービスも行われており、例えば、ラボ等のフォトサービス店舗やコンビニエンスストア等の注文店舗に撮影したフィルムを持ち込むと、フォトサービス店舗では、フィルムを現像した後、ネガフィルムをスキャナ等で読み取り、読み取った画像データをＣＤ−Ｒ等の記録媒体に書き込んでユーザに提供される。
【０００４】
ここで、デジタルカメラやスキャナ等の撮像手段から出力される生の撮像画像データ（以下、このようなオリジナルシーンの輝度に近いダイナミックレンジを有する画像データをＲＡＷデータと称する。）は、輝度領域が広く単位画素あたりの色数が大きいデータであるが、パソコンのモニタのような表示装置では表示可能な輝度領域や色数等が制限されるため、ＲＡＷデータのままでは利用に適していない。そこで、例えばフィルムから画像情報を読み取るサービスでは、ＲＡＷデータの輝度領域を出力装置に合わせて狭める等の補正を行った画像データ（以下、出力装置用に画像特性を補正した画像データを出力用画像データと称する。）を記録媒体に記録してユーザに提供している。
【０００５】
ここで、上記方法で記録媒体に記録される出力用画像データは、元の画像データが表現するオリジナルシーンをできるだけ忠実に再現できるように画像特性が補正されるが、オリジナルシーンに対して受ける印象はユーザによって様々であり、画一的に画像特性を補正する方法では得られた出力用画像データに違和感を感じる場合もある。
【０００６】
例えば、晴天時に建物や山などを背景にして人物を撮影した場合、背景と人物とでは濃度や階調が異なるため、背景が適切な濃度／階調で表現された画像か、人物が適切な濃度／階調で表現された画像のいずれかしか得られない。また、室内から外の風景を撮影した場合、室内の様子と窓から見える景色の両方を見えるようにしたいが、昼間であれば室内が暗、夜間であればその逆になってしまう。
【０００７】
このラボにおける画像処理の問題に対して、特開平１１−６９１７９号公報には、ラボのみの判断でセットアップを行うのではなく、ラボの行ったセットアップをユーザが好みに応じて簡単に変更できるようにして、撮影者の意図に合った濃度で画像を再生することを目的として、画像データと、該画像データを画像再生装置により可視画像として再生するときの再生処理に用いられる画像付帯情報とを構成要素とする構造化記憶ファイルが記録された記録媒体に関し、画像付帯情報の中に、可視画像において再現される濃度の範囲として適切な濃度範囲の候補を示す複数のセットアップ情報を含める技術が開示されており、複数の画像付帯情報を用いることにより、ユーザは画面を見ながら好ましい画像を選択するのみで所望の画像を得ることができる。
【０００８】
【特許文献１】
特開平１１−６９１７９号公報（第５−７頁、第２図）
【０００９】
【発明が解決しようとする課題】
複数のセットアップ情報を含む画像付帯情報を付加する上記方法では、画一的なセットアップ情報のみの場合に比べて、よりユーザの嗜好に合致した画像を提供することはできるが、この方法でも全てのユーザを満足させることは不可能であり、画像データを扱うユーザの主観や表現意図、作業環境などに対して柔軟に対応するためには、ダイナミックレンジの大きい撮像画像データ（ＲＡＷデータ）を提供することが重要である。
【００１０】
また、画像データを出力する手段は様々であり、パソコンのモニタのような表示手段に表示したり、プリンタのような印刷手段を用いてプリントアウトしたり、複数の出力手段に出力する場合などがあり、その場合には、各種出力手段に合わせてＲＡＷデータに画像処理を施さなければならない。そこで、デジタルカメラやスキャナで画像情報を記録する際に、ＲＡＷデータに加えて出力系を考慮した画像変換情報付加してユーザに提供し、ユーザが出力装置に出力する際にこの画像変換情報に基づいて画像データを変換する方法も提案されている。
【００１１】
しかしながら、画像変換情報自体は撮影当時にたまたま定義されている標準色空間への変換を目的に、または撮影当時に世の中で一般的に使用されている出力装置で最適な色空間への変換を目的に作成され記録されるものであるため、その後、標準色空間が拡張されたり、出力装置の改良がなされ、その色空間が拡張された場合では、過去に撮影されたデータは画像変換情報が意味を持たなくなるか、せっかく広輝度範囲で記録したデータが有効に活用されなくなったりする。この問題は、たとえ画像データファイルの構成や形式が規格化できたとしても、オリジナルシーンの輝度に近い画像データを有効に扱おうとした場合、大きな障害となる。
【００１２】
以上の観点から、ユーザには、出力媒体のダイナミックレンジよりも大きな、オリジナルシーンの輝度に近いダイナミックレンジを有する撮像画像データ（ＲＡＷデータ）を提供し、ユーザ側で各種処理を行う方法が好ましいが、その場合にはユーザ自身が所定の出力手段での出力に適した画像データとするための画像変換を行わなければならず、ユーザの負担が大きくなる。特にパソコン操作に不慣れなユーザに出力装置の性能に応じた画像変換を求めるのは酷であり、簡単に出力手段に最適化された画像データを得ることができるシステムや装置、方法の提案が望まれている。
【００１３】
本発明は、上記問題点に鑑みてなされたものであって、その主たる目的は、スキャナやデジタルカメラ等の撮像手段で得られたダイナミックレンジの大きい画像データを、簡単に出力装置の性能に合わせた画像データに変換することができる画像処理システム、画像処理装置及び画像処理方法並びに画像処理プログラムを提供することにある。
【００１４】
【問題を解決するための手段】
上記目的を達成するため、本発明の画像処理装置は、撮像手段により画像又は被写体を撮像して得られた撮像画像データを処理する画像処理装置であって、少なくとも、前記撮像画像データを読み取る手段と、読み取られた前記撮像画像データの輝度分布を解析し、第１の画像変換情報を取得する手段と、出力手段の種類に応じて設定される第２の画像変換情報を取得する手段と、前記撮像画像データを前記第１の画像変換情報及び前記第２の画像変換情報を用いて出力用画像データに変換する画像データ変換手段と、を備えるものである。
【００１５】
本発明においては、前記画像データ変換手段が、前記撮像画像データを予め設定された標準色空間画像データに変換した後、前記出力用画像データへ変換する手段を含むものとすることができる。
【００１６】
また、本発明の画像処理装置は、撮像手段により画像又は被写体を撮像して得られた撮像画像データを処理する画像処理装置であって、少なくとも、前記撮像画像データを読み取る手段と、読み取られた前記撮像画像データの輝度分布を解析し、第１の画像変換情報を取得する手段と、出力手段の種類に応じて設定される第２の画像変換情報を取得する手段と、前記第１の画像変換情報及び前記第２の画像変換情報に基づき、前記撮像画像データを出力手段で再生するための再生情報を作成する手段と、前記再生情報を記録する手段と、を備えるものである。
【００１７】
本発明においては、前記第１の画像変換情報は、色再現域又は再現輝度域のいずれかを変換する情報であることが好ましい。
【００１８】
また、本発明においては、更に、前記撮像画像データに関連付けて記録された撮像形式を特定する撮像形式識別情報を取得する手段を備え、該撮像形式識別情報の参照により、前記撮像画像データを読み取って予め設定された標準化した画像データ形式にする構成とすることができ、前記撮像形式識別情報は、撮像輝度データの縦横の画素数、１画素あたりのデータ長、画素配列の情報、又は撮像輝度値と撮像画像データのデータ値との相関関係に関する情報のいずれかを含むことが好ましい。
【００１９】
また、本発明の画像処理システムは、撮像手段により画像又は被写体を撮像して得られた撮像画像データを記録する画像記録装置と、上記記載の画像処理装置と、を少なくとも備える画像処理システムであって、前記画像記録装置は、前記撮像画像データを記録媒体に記録する手段、又は、前記撮像画像データを通信ネットワークを介して送信する手段、を、前記画像処理装置は、前記記録媒体を読み取る手段、又は、通信ネットワークを介して前記撮像画像データを受信する手段、を備えているものであり、前記画像記録装置は、前記撮像画像データに関連付けて、撮像形式を特定する撮像形式識別情報を前記記録媒体に記録、又は、通信ネットワークを介して送信することが好ましい。
【００２０】
また、本発明の画像処理方法は、撮像手段により画像又は被写体を撮像して得られた撮像画像データを取得する画像記録装置と、前記撮像画像データを処理する画像処理装置と、を少なくとも備えるシステムにおける画像処理方法であって、前記画像記録装置は、前記撮像画像データを記録媒体に記録するステップ、又は、通信ネットワークを介して前記画像処理装置に送信するステップ、を有し、前記画像処理装置は、前記撮像画像データを読み取るステップと、読み取られた前記撮像画像データの輝度分布を解析し、第１の画像変換情報を取得するステップと、出力手段の種類に応じて設定される第２の画像変換情報を取得するステップと、前記撮像画像データを前記第１の画像変換情報及び前記第２の画像変換情報を用いて出力用画像データに変換する画像データ変換ステップと、を少なくとも有するものである。
【００２１】
また、本発明の画像処理方法は、撮像手段により画像又は被写体を撮像して得られた撮像画像データを取得する画像記録装置と、前記撮像画像データを処理する画像処理装置と、を少なくとも備えるシステムにおける画像処理方法であって、前記画像記録装置は、前記撮像画像データを記録媒体に記録するステップ、又は、通信ネットワークを介して前記画像処理装置に送信するステップ、を有し、前記画像処理装置は、前記撮像画像データを読み取るステップと、読み取られた前記撮像画像データの輝度分布を解析し、第１の画像変換情報を取得するステップと、出力手段の種類に応じて設定される第２の画像変換情報を取得するステップと、前記第１の画像変換情報及び前記第２の画像変換情報に基づき、前記撮像画像データを出力手段で再生するための再生情報を作成するステップと、前記再生情報を記録するステップと、を少なくとも有するものである。
【００２２】
また、本発明の画像処理プログラムは、コンピュータを、少なくとも、撮像手段により画像又は被写体を撮像して得られた撮像画像データを読み取る手段、読み取られた前記撮像画像データの輝度分布を解析し、第１の画像変換情報を取得する手段、出力手段の種類に応じて設定される第２の画像変換情報を取得する手段、前記撮像画像データを前記第１の画像変換情報及び前記第２の画像変換情報を用いて出力用画像データに変換する画像データ変換手段、として機能させるものである。
【００２３】
また、本発明の画像処理プログラムは、コンピュータを、少なくとも、撮像手段により画像又は被写体を撮像して得られた撮像画像データを読み取る手段、読み取られた前記撮像画像データの輝度分布を解析し、第１の画像変換情報を取得する手段、出力手段の種類に応じて設定される第２の画像変換情報を取得する手段、前記第１の画像変換情報及び前記第２の画像変換情報に基づき、前記撮像画像データを出力手段で再生するための再生情報を作成する手段、前記再生情報を記録する手段、として機能させるものである。
【００２４】
このように、本発明の構成によれば、ユーザには、フィルムをスキャナで読み取って得られたＲＡＷデータやデジタルカメラの撮像手段で得られたＲＡＷデータ等のオリジナルシーンの輝度に近いダイナミックレンジを有する撮像画像データが提供され、その撮像画像データを処理する画像処理装置には、撮像画像データの輝度分布を解析して第１の画像変換情報を取得する手段、出力手段の種類に応じて設定される第２の画像変換情報を取得する手段、第１の画像変換情報及び第２の画像変換情報を用いて撮像画像データを変換する手段等が、ハードウェアとして又は画像処理プログラムとして構成され、これらの手段により自動的に画像データを出力する出力手段に最適化された出力用画像データが得られるため、ユーザ自らが出力手段に応じて撮像画像データを変換する必要がなくなり、パソコン操作に不慣れなユーザであっても簡単に所望の出力手段に最適化された出力用画像データを取得することができる。更には、本発明では、撮像時には規定し得なかった色空間や出力装置に対する出力であっても、撮像手段で撮像時に決定される画像変換情報を必要としないため、その時代時代に即して、それぞれの出力に最適な画像データとして容易に観賞に供することができる。
【００２５】
【発明の実施の形態】
従来技術で示したように、写真に基づく画像データには、スキャナやデジタルカメラ等の撮像手段で得られた撮像画像データ（ＲＡＷデータ）と、ＲＡＷデータの画像特性を補正して所定の出力手段に適した画像特性に変換された出力用画像データとがあり、低画質の出力用画像データのみを提供する場合には、異なる出力手段に適した画像処理を行うことはできず、また、ユーザの嗜好に合わせて画像処理を行うこともできない。
【００２６】
また、高画質のＲＡＷデータのみを提供する場合は、所望の画像処理を行うことは可能であるが、画像データを出力する際に出力手段に適した画像データに変換しなければならず、そのためには、ＲＡＷデータの色空間を変換したり出力手段の種類に応じて設定される画像変換情報を取得しなければならない。このような画像処理は専門的な知識を必要とし、たとえパソコン操作に慣れたユーザであっても、専門的な教育を受けることなく実行することは困難である。
【００２７】
そこで、本発明では、画像データを所望の出力手段に合わせて処理できるように、ユーザには、フィルムをスキャンして得られたＲＡＷデータ又はデジタルカメラの撮像手段で得られたＲＡＷデータ等のオリジナルシーンの輝度に近いダイナミックレンジを有する撮像画像データを、記録媒体に記録して又はインターネット等の通信ネットワークを介して提供し、画像処理を実行する画像処理装置に、ＲＡＷデータの輝度分布を解析し、第１の画像変換情報を取得する手段、出力手段の種類に応じて設定される第２の画像変換情報を取得する手段、第１の画像変換情報及び第２の画像変換情報を用いてＲＡＷデータを変換する手段等を、ハードウェアとして又はコンピュータを上記手段として機能させる画像処理プログラムとして構成することにより、複雑な操作をすることなく、ＲＡＷデータから出力手段に最適化された出力用画像データを得ることができる。
【００２８】
【実施例】
上記した本発明の実施の形態についてさらに詳細に説明すべく、本発明の実施例について図面を参照して説明する。
【００２９】
［実施例１］
まず、本発明の第１の実施例に係る画像処理システム、画像処理装置及び画像処理方法並びに画像処理プログラムについて、図１乃至図６を参照して説明する。図１は、第１の実施例に係る画像処理システムの構成を模式的に示す図であり、図２は、画像処理装置の構造を示す斜視図である。また、図３は、画像記録装置及び画像処理装置の構成の内、本実施例の画像処理方法に関わる部分の構成を示すブロック図であり、図４乃至図６は、本実施例の画像処理の手順を示すフローチャート図である。
【００３０】
図１に示すように、本実施例の画像記録システム１は、フィルムや写真プリントの画像情報を読み取り記録するフィルムスキャナ１８や写真画像を取得し記録するデジタルカメラ１９等の画像記録装置１７と、記録媒体１６により、又はインターネットや赤外線通信等の通信ネットワーク２１を介して、画像記録装置１７で得られた撮像画像データ（ＲＡＷデータ）を読み取って所定の画像処理を行い出力する画像処理装置２０とを備えている。
【００３１】
なお、画像処理装置２０は、記録媒体１６により又は通信ネットワーク２１を介して提供されるＲＡＷデータをモニタやプリンタ等の出力手段に適した画像データ（出力用画像データ）に変換する機能を備えていればよく、本実施例の画像処理システム１専用の装置でも、演算処理機能を備えたパソコン２０ａやネットワークプリンタ２０ｃ等の汎用的な装置であってもよく、更に、ホームプリンタ２０ｂ等の別の出力手段を備えていてもよい。また、画像記録装置１７としては、フィルムや原稿（例えば写真プリント）に記録された画像情報を読み取るスキャナを備え、スキャナで読み取った画像データを記録媒体１６に記録又は通信ネットワーク２１を介して送信する機能を備えるものであればよいが、更に、画像記録装置１７内で読み取った画像情報を表示したり、画像情報を感光材料に露光／現像し、プリントを作成することができるミニラボシステムのような多機能一体型の装置としてもよい。
【００３２】
上記多機能一体型の画像記録装置１７の例を図２に示す。この画像記録装置１７は、本体２の左側面にマガジン装填部３を備え、本体２内には制御部７と、感光材料を露光する露光処理部４と、露光された感光材料を現像処理して乾燥し、プリントを作成するプリント作成部５とが備えられ、作成されたプリントは本体２の右側面に設けられたトレー６に排出される。また、本体２の上部には、ＣＲＴ８が配置され、読み取った画像やプリントを作成しようとする画像が画面に表示される。また、ＣＲＴ８の左側に透過原稿読み込み装置であるフィルムスキャナ部９が配置され、右側に反射原稿入力装置１０が配置されている。
【００３３】
そして制御部７には、例えば、フィルムスキャナ部９からはアナログカメラにより撮像されたネガフィルムを現像して得られた現像済のネガフィルムの画像データが入力され、反射原稿入力装置１０からは駒画像を印画紙に焼き付けて現像処理したプリントの画像データが入力される。また、制御部７は画像処理部を有し、この画像処理部で画像データに画像処理を施して各種出力手段に適した画像データが作成される。
【００３４】
また、制御部７には、画像読込部１４が設けられている。画像読込部１４には各種記録媒体用のアダプタが備えられ、例えばデジタルカメラで撮像した複数の駒画像情報が記憶されたＰＣカード１３ａやＦＤ１３ｂ等が差し込み可能になっている。なお、画像情報の記録媒体として、スマートメディア、コンパクトフラッシュ（登録商標）、メモリースティック（登録商標）、ＳＤメモリーカード、マルチメディアカード等を用いることもでき、これらをＰＣカード１３ａに装着又は専用のアダプタに装着して画像情報を読み込むことができる。
【００３５】
また、制御部７には、画像書込部１５が設けられている。画像書込部１５には各種記録媒体用のアダプタが備えられ、ＦＤ１６ａ、ＭＯ１６ｂ、光ディスク１６ｃ等が差し込み可能になっており、ＲＡＷデータをこれらの記録媒体に書き込むことができるようになっている。なお、光ディスク１６ｃとしてはＣＤ−Ｒ、ＤＶＤ−Ｒ等が一般的である。
【００３６】
更に制御部７には図示しない通信手段が設けられており、インターネット（無線／有線を問わない）や赤外線等を用いた通信ネットワーク２１を介して、他のコンピュータ端末やサーバから撮像情報を受信したり、画像処理装置２０に画像データが送信できるようになっている。
【００３７】
次に、本実施例の画像記録装置１７及び画像処理装置２０の主要部の構成について図３を参照して説明する。画像記録装置１７には、フィルムから画像情報を読み取るスキャナ等の撮像手段１７ａと、撮像手段１７ａで取得した撮像画像データ（ＲＡＷデータ）を記録媒体１６に記録するＲＡＷデータ記録手段１７ｂとを備え、ユーザにはＲＡＷデータが記録された記録媒体１６が提供される。なお、撮像手段１７ａはデジタルカメラのＣＣＤイメージセンサ等の撮像部としてもよく、ＲＡＷデータ記録手段１７ｂに代えて通信ネットワーク２１を介して画像データを送信する手段を設ける構成としてもよい。
【００３８】
また、画像処理装置２０には、記録媒体１６に記録された（又は通信ネットワーク２１を介して送信された）ＲＡＷデータを読み取るＲＡＷデータ読み取り手段２０ａと、ＲＡＷデータを出力装置に最適化された出力画像データに変換するＲＡＷデータ処理手段２０ｂと、変換された画像データを出力するモニタ、プリンタ等の出力手段２０ｆとを備え、ＲＡＷデータ処理手段２０ｂには、ＲＡＷデータの輝度分布を解析し、第１の画像変換情報（例えば、色再現域や再現輝度範囲、階調等に関する情報）を取得する第１の画像変換情報取得手段２０ｃと、ＲＡＷデータを出力手段の種類に応じて設定される情報（第２の画像変換情報）を取得する第２の画像変換情報取得手段２０ｄと、第１の画像変換情報と第２の画像変換情報とを用いて、ＲＡＷデータを出力手段に適したデータに変換するＲＡＷデータ変換手段２０ｅとを備えている。
【００３９】
この画像処理装置２０の各手段は、ハードウェアとして構成されていても良いが、コンピュータを、少なくとも、ＲＡＷデータ処理手段２０ｂ（第１の画像変換情報取得２０ｃ、第２の画像変換情報取得手段２０ｄ、ＲＡＷデータ変換手段２０ｅ）として機能させる画像処理プログラムをパソコンにインストールして実行してもよい。
【００４０】
上記構成の画像処理装置２０を用いたＲＡＷデータの処理手順について、図４乃至図６のフローチャート図を参照して説明する。このＲＡＷデータの処理手順としてはＲＡＷデータを一旦標準色空間に変換してから出力手段に適したデータに変換する方法（処理フロー１）と、ＲＡＷデータを一度に出力手段固有の色空間に変換する方法（処理フロー２）とがある。
【００４１】
まず、処理フロー１について図４を参照して説明する。フィルムやプリントをスキャナで読み取ったＲＡＷデータは、記録媒体１６に記録して、又は、通信ネットワーク２１を介して送信される。画像処理装置２０では、ＲＡＷデータ読み取り手段２０ａによりＲＡＷデータを読み取り、ステップＳ１０１で、第１の画像変換情報取得手段２０ｃを用いて、ＲＡＷデータの輝度分布を解析し、第１の画像変換情報を取得する。なお、このＲＡＷデータのファイル形式は特に限定されないが、パソコンやネットワークプリンタ等の画像処理装置２０で認識できる必要があり、出力時の画像データの縦横の画素数、１画素当たりのデータ長、画素のＢＧＲの配列、データ中のヘッダデータの長さ、などが規格化されたファイル形式であることが望ましい。
【００４２】
次に、ステップＳ１０２で、解析して得た第１の画像変換情報に基づいて、標準色空間への色補正変換や濃度補正変換を行い、ＲＡＷデータを一旦出力手段に依存しない画像データに変換する。例えば、出力手段の輝度範囲がデータ値０〜２５５で表され、ＲＡＷデータの輝度範囲がそれよりも広い範囲のデータ値である場合には、ＲＡＷデータにおける１データ差の輝度変化量と標準色空間における１データ差の輝度変化量とが等しく正規化されている状態で、ＲＡＷデータの全画素の平均値を算出し、その値と出力手段の輝度中心値（例えば１２８）との差分を求め、ＲＡＷデータの各画素のデータ値からその差分を引くように変換する。
【００４３】
なお、その場合において、平均値は各画素の輝度値の平均値でも、ＢＧＲ各色の平均値でＢＧＲそれぞれを変換してもよいが、撮像シーンが特定色に偏っている場合には適切な変換がされないため、特開２００１−３３３２８４号公報記載の方法を用いてその影響を抑制することが好ましい。また、輝度値の平均で行う場合であっても、撮像シーンの主要被写体部分とそれ以外の部分とで極端に輝度差があったり、面積に差がある場合では、やはり適切な変換がされないため、特開２００２−２４７３９３号公報記載の方法を用いて、その影響を抑制することが好ましい。上記変換は輝度域に基づく変換の例であるが、色再現域に基づく変換も同様の手法により行うことができる。
【００４４】
次に、ステップＳ１０３で、第２の画像変換情報取得手段２０ｄを用いて、モニタやプリンタ等の出力手段の情報を取得し、該出力手段に応じて画像特性（例えば、色再現域、再現輝度範囲、階調等）を変換するための第２の画像変換情報を取得する。なお、この第２の画像変換情報を取得する方法は特に限定されないが、例えば、予め画像処理装置２０の記憶手段に所定の出力手段（画像処理装置２０の出力手段２０ｆでも他の出力手段であってもよい。）の第２の画像変換情報を記憶しておき、第２の画像変換情報取得手段２０ｄで読み出してもよく、また、第２の画像変換情報取得手段２０ｄを用いて出力手段にアクセスして該出力手段から第２の画像変換情報を取得してもよい。
【００４５】
そして、ステップＳ１０４で、ＲＡＷデータ変換手段２０ｅでは、ステップＳ１０１で解析して得た第１の画像変換情報及びステップＳ１０３で取得した第２の画像変換情報に基づいて、標準色空間に色補正変換、濃度補正変換されたＲＡＷデータを出力手段２０ｅでの出力に適したデータ（出力用画像データ）に変換する。なお、出力用画像データのファイル形式も特に限定されず、出力装置で規格化された形式とすることが望ましい。
【００４６】
その後、必要に応じて、公知の画像処理ソフトを用いて出力用画像データのコントラスト調整や色調整等の画像処理を行い、ユーザの嗜好に合わせた画像データを作成する。そして、ステップＳ１０５で、出力手段用に最適化された画像データをモニタで表示したり、プリンタでプリントアウトする。
【００４７】
このような手順で画像処理を行うことにより、撮像手段で得られる生の撮像画像データが提供された場合であっても自動的に出力手段に適した画像変換が行われるため、従来例で示したように予め特定の出力手段用に画像変換された画像データが提供された場合に他の出力手段で適切な画像を出力することができないと言った問題を回避することができ、また、ＲＡＷデータを変換する際に画像変換情報をユーザ自らが取得するという煩雑な作業をなくすことができる。
【００４８】
上記手順はＲＡＷデータを一旦出力手段に依存しない画像データに変換してから出力手段に適した画像データに変換するという２段階の変換であったが、一括して出力手段に適した画像データに変換することも可能である。その場合の手順（処理フロー２）について図５のフローチャート図を参照して説明する。
【００４９】
まず、上記処理フロー１と同様に、ＲＡＷデータ読み取り手段２０ａを用いて、記録媒体１６に記録された画像データ又は通信ネットワーク２１を介して送信される画像データを読み込んだ後、ステップＳ２０１で、第２の画像変換情報取得手段２０ｄを用いて、モニタやプリンタ等の出力手段の種類に応じて設定される第２の画像変換情報を取得する。次に、ステップＳ２０２で、第１の画像変換情報取得手段２０ｃを用いて、ＲＡＷデータの輝度分布を解析し、第１の画像変換情報を取得する。
【００５０】
次に、本処理フロー２では、ステップＳ２０３で、ＲＡＷデータ変換手段２０ｅを用いて、ステップＳ２０１で取得した第２の画像変換情報及びステップＳ２０２で取得した第１の画像変換情報に基づいて、出力手段固有の色空間への色補正変換、濃度補正変換を行い、ＲＡＷデータを一括して出力手段２０ｅでの出力に適したデータ（出力用画像データ）に変換する。その後、ステップＳ２０４で、出力手段用に最適化された画像データをモニタで表示したり、プリンタでプリントアウトする。
【００５１】
上記処理フロー１及び処理フロー２では、記録媒体１６に記録された又は通信ネットワーク２１を介して送信されるＲＡＷデータとして画像記録装置１７の撮像手段１７ａで得られた生の撮像画像データを用いたが、生の撮像画像データはスキャナやＣＣＤイメージセンサ等の撮像手段１７ａの機種に応じた情報を含んでおり、そのままでは出力手段に最適な画像処理を行えない場合もある。そこで、撮像手段１７ａ固有の情報を含む画像データが提供された場合には、図６に示すフローチャート図（処理フロー３）に従って撮像手段１７ａ固有の情報を取り除いた汎用的な画像データに変換することが好ましい。
【００５２】
具体的には、ステップＳ３０１で、ＲＡＷデータに関連付けて記録された撮像形式を特定する情報（以下、撮像形式識別情報と呼ぶ。）を読み込み、ステップＳ３０２で、この撮像形式識別情報に基づいて、ＲＡＷデータの記録情報（ファイル形式やファイル構成、撮像時の階調情報等）を取得する。この撮像形式識別情報は、例えば、撮像輝度データの縦横の画素数、１画素あたりのデータ長、画素配列、撮像時の階調、撮像輝度値と撮像画像データのデータ値との相関関係等に関する情報を含み、画像記録装置１７では、ＲＡＷデータ記録手段１７ｂで記録媒体１６にＲＡＷデータを記録する際に、ＲＡＷデータに関連付けて撮像形式識別情報が記録（又はＲＡＷデータに関連付けて撮像形式識別情報が送信）され、画像処理装置２０のＲＡＷデータ読み取り手段２０ａでこの撮像形式識別情報が読み取られる。なお、この撮像形式識別情報はＲＡＷデータと別個のデータとしてもよいが、ＲＡＷデータをＥｘｉｆ形式等で作成する場合にヘッダの中に撮像形式識別情報を記述することもできる。
【００５３】
次に、ステップＳ３０３で、ＲＡＷデータの記録情報を参照してＲＡＷデータを読み込み、必要に応じてＲＡＷデータのファイル形式やファイル構成を変換した後、ステップＳ３０４で、ＲＡＷデータの階調情報に基づいて正規化変換を行う。そして、正規化変換されたＲＡＷデータを用いて、処理フロー１及び処理フロー２に基づいて出力装置に適した画像データを作成する。
【００５４】
このように、本実施例の画像処理システム１によれば、画像記録装置１７では、フィルムに記録された画像情報をスキャンして得られたＲＡＷデータ（又はデジタルカメラの撮像部で得られたＲＡＷデータ）を、記録媒体１６に記録、又は通信ネットワーク２１を介して提供し、少なくともＲＡＷデータ処理手段２０ｂ（第１の画像変換情報取得手段２０ｃ、画像変換情報取得手段２０ｄ、ＲＡＷデータ変換手段２０ｅ）をハードウェアとして又は画像処理プログラムとして備える画像処理装置２０を用いて、ＲＡＷデータが変換されるため、ダイナミックレンジの大きいＲＡＷデータを、簡単に出力手段の性能に応じた画像データ（出力用画像データ）に変換することができる。
【００５５】
［実施例２］
次に、本発明の第２の実施例に係る画像処理システム、画像処理装置及び画像処理方法並びに画像処理プログラムについて、図７及び図８を参照して説明する。図７は、画像処理装置の構成を示すブロック図であり、図８は、本実施例の画像処理の手順を示すフローチャート図である。なお、本実施例は、画像処理装置において、ＲＡＷデータを再生するために用いられる再生情報を作成することを特徴とするものであり、他の部分の構成、処理に関しては前記した第１の実施例と同様である。
【００５６】
図７に示すように、本実施例の画像処理装置２０には、記録媒体１６に記録された（又は通信ネットワーク２１を介して送信された）ＲＡＷデータを読み取るＲＡＷデータ読み取り手段２０ａと、所定の出力手段に対する色空間情報を設定する色空間情報設定手段２０ｇと、ＲＡＷデータの輝度分布を解析し、第１の画像変換情報を取得する第１の画像変換情報取得手段２０ｃと、第１の画像変換情報と色空間情報（第２の画像変換情報）とを用いて所定の出力手段で再生するために用いられる再生情報を作成する再生情報作成手段２０ｈと、その再生情報を記録する再生情報記録手段２０ｉとを備えている。
【００５７】
なお、第１の実施例と同様に、この画像処理装置２０の各手段はハードウェアとして構成されていても良く、コンピュータを、少なくとも、色空間情報設定手段２０ｇ、第１の画像変換情報取得手段２０ｃ、再生情報作成手段２０ｈ、再生情報記録手段２０ｉとして機能させる画像処理プログラムをパソコンにインストールして実行してもよい。
【００５８】
上記構成の画像処理装置２０を用いたＲＡＷデータの処理手順について、図８のフローチャート図を参照して説明する。フィルムやプリントをスキャナで読み取ったＲＡＷデータは、記録媒体１６に記録して、又は、通信ネットワーク２１を介して提供され、画像処理装置２０では、ＲＡＷデータ読み取り手段２０ａによりＲＡＷデータを読み取る。次に、ステップＳ４０１で、色空間情報設定手段２０ｇを用いて、所定の出力手段に対応する色空間情報（第２の画像変換情報）を設定する。この色空間情報は画像処理装置２０の記憶手段に予め記憶されていてもよく、色空間情報設定手段２０ｇが所定の出力手段にアクセスして該出力手段の情報を取得し、この情報に基づいて色空間情報を設定してもよい。
【００５９】
次に、ステップＳ４０２で、第１の画像変換情報取得手段２０ｃを用いて、ＲＡＷデータの輝度分布を解析し、第１の画像変換情報を抽出し、ステップＳ４０３で、再生情報作成手段２０ｈを用いて、ステップＳ４０１で設定した色空間情報とステップＳ４０２で抽出した第１の画像変換情報とに基づいて、所定の出力手段で再生するために用いられる再生情報を作成する。
【００６０】
その後、ステップＳ４０４で、再生情報記録手段２０ｉを用いて、作成した再生情報を記録媒体１６に記録する。そして、ＲＡＷデータ及びこの再生情報を用いて所定の出力手段で再生する。
【００６１】
このように、ＲＡＷデータに所定の画像処理を施して出力用画像データを作成するのではなく、ＲＡＷデータを所定の出力手段で再生するための再生情報を作成し、記録することにより、簡単に出力手段に最適化された画像データを再生することができる。特に、高度な画像処理機能を持たない装置で画像データを再生する場合、第１の実施例に示した各種画像処理を行うことは困難であるが、このような装置でも再生情報を用いることによって簡単に画像データを再生することが可能となり、画像データを幅広く利用することができる。
【００６２】
なお、ＲＡＷデータの画像処理として、実施例で説明した輝度分布の解析、色補正及び濃度補正処理の他、各種の画像処理を組み合わせて用いることができ、スキャナ等の撮像手段で得られたオリジナルシーンの輝度に近いダイナミックレンジを有する画像データを、モニタやプリンタ等の出力手段に適した画像データに変換するために利用可能な処理であれば良く、例えば、単位画素あたりの色数を小さくする補正（例えば、１６７７万色を２５６色に減色する補正）処理や色相補正処理、モノクロ化補正処理、鮮鋭性補正処理、彩度補正処理等の任意の画像処理を適用することができる。
【００６３】
【発明の効果】
以上説明したように、本発明の画像処理システム、画像処理装置及び画像処理方法並びに画像処理プログラムによれば、ダイナミックレンジの大きいＲＡＷデータを、簡単に出力装置の性能に最適化された画像データに変換することができる。
【００６４】
その理由は、画像記録装置では、フィルムに記録された画像情報をスキャンして得られたＲＡＷデータ（又はデジタルカメラの撮像部で得られたＲＡＷデータ）が、記録媒体に記録、又は通信ネットワークを介してユーザに提供され、第１の画像変換情報取得手段、第２の画像変換情報取得手段、ＲＡＷデータ変換手段、色空間情報設定手段、再生情報作成手段等をハードウェアとして又は画像処理プログラムとして備える画像処理装置により、ＲＡＷデータが自動的に出力手段に適した画像データ（出力用画像データ）に変換され、また、ＲＡＷデータを再生する際に利用される再生情報が作成されるからである。
【図面の簡単な説明】
【図１】本発明の第１の実施例に係る画像処理システムの構造を模式的に示す図である。
【図２】本発明の第１の実施例に係る画像記録装置の構造を示す斜視図である。
【図３】本発明の第１の実施例に係る画像記録装置及び画像処理装置の構成を示すブロック図である。
【図４】本発明の第１の実施例に係る画像処理手順（処理フロー１）を示すフローチャート図である。
【図５】本発明の第１の実施例に係る画像処理手順（処理フロー２）を示すフローチャート図である。
【図６】本発明の第１の実施例に係る画像処理手順（処理フロー３）を示すフローチャート図である。
【図７】本発明の第２の実施例に係る画像処理装置の構成を示すブロック図である。
【図８】本発明の第２の実施例に係る画像処理手順（処理フロー１）を示すフローチャート図である。
【符号の説明】
１  画像記録装置
２  本体
３  マガジン装填部
４  露光処理部
５  プリント作成部
６  トレー
７  制御部
８  ＣＲＴ
９  フィルムスキャナ部
１０  反射原稿入力装置
１１  操作部
１２  情報入力部
１３ａ  ＰＣカード
１３ｂ  ＦＤ
１４  画像読込部
１５  画像書込部
１６ａ  ＦＤ
１６ｂ  ＭＯ
１６ｃ  光ディスク
１７  画像記録装置
１７ａ  撮像手段
１７ｂ  ＲＡＷデータ記録手段
１８  フィルムスキャナ
１９  デジタルカメラ
２０  画像処理装置
２０ａ  ＲＡＷデータ読み取り手段
２０ｂ  ＲＡＷデータ処理手段
２０ｃ  第１の画像変換情報取得手段
２０ｄ  第２の画像変換情報取得手段
２０ｅ  ＲＡＷデータ変換手段
２０ｆ  出力手段
２０ｇ  色空間情報設定手段
２０ｈ  再生情報作成手段
２０ｉ  再生情報記録手段
２１  通信ネットワーク
【図１】
2004242124.tif 000003
【図２】
2004242124.tif 000004
【図３】
2004242124.tif 000005
【図４】
2004242124.tif 000006
【図５】
2004242124.tif 000007
【図６】
2004242124.tif 000008
【図７】
2004242124.tif 000009
【図８】
2004242124.tif 000010